(57)【要約】【課題】簡単な構造のカム作用機構と作動変換機構を設けることで、頚椎装具における顎支持部材の高さ調節を、簡単な回転操作でもって無段階調整できるようにすること。【解決手段】支持本体と、一対の顎支持部材とからなる頚椎装具であって、操作部材（５）の回動操作によってカム作用機構（６）を介して従動部材（７）を押し引き駆動し、該従動部材（７）の押し引き動作により、作動方向変換機構（８）を用いて前記顎支持部材（２），（３）を回動変位させ、顎支持部材（２），（３）の高さ調節を行う。【選択図】図１
2012020101.tif 000002
【特許請求の範囲】
【請求項１】
正面視略Ｙ字形の支持本体（１）と、該支持本体（１）のＹ字の左右端部近傍に、その一端部が夫々枢着された一対の顎支持部材（２），（３）とからなる頚椎装具であって、
操作部材（５）の回動操作によってカム作用機構（６）を介して従動部材（７）を押し引き駆動し、該従動部材（７）の押し引き動作により、作動方向変換機構（８）を用いて前記顎支持部材（２），（３）を回動変位させることによって該顎支持部材（２），（３）の高さ調節を行うように構成したことを特徴とする頚椎装具。
【請求項２】
前記一対の顎支持部材（２），（３）に対応して前記カム作用機構（６）と前記操作部材（５）が、前記支持本体（１）の左右端部近傍に夫々設けられ、前記操作部材（５）は回転体（５Ａ）を備え、前記カム作用機構（６）は、前記回転体（５Ａ）に形成されたカム溝（６Ｂ）と、該カム溝（６Ｂ）に係合するカム突起体（６Ｃ）から成り、該カム突起体（６Ｃ）が前記従動部材（７）に一体的に設けられ、前記カム突起体（６Ｃ）が前記カム溝（６Ｂ）に沿って移動されることで前記従動部材（７）を略直線移動させるように構成されていることを特徴とする請求項１に記載の頚椎装具。
【請求項３】
前記作動変換機構（８）が、前記回転体（５Ａ）の軸支ピン（１５）を備えた保持カバー体（１６）と、前記従動部材（７）に形成され、前記回転体（５Ａ）の軸支ピン（１５）に係合する長孔（１４）と、その一端部（９ａ）が前記従動部材（７）に設けられた係止ピン（９）と、その他端部（９ｂ）が貫通係合する前記支持本体（１）に設けられた係止ピン用長孔（１０）と、その他端部（９ｂ）が貫通係合する前記顎支持部材（２），（３）に設けられたガイド長孔（３０）と、前記保持カバー体（１６）の後端部に上下の方向に配置され設けられた一対の係止ピン（１１），（１３）と、該係止ピン（１１），（１３）が貫通し係合するように前記支持本体（１）の後端部に、上下の方向に配置され設けられた上側に位置する支持孔（３１）と、下側に位置する支持長孔（３２）と、該係止ピン（１１），（１３）が貫通し係合するように前記顎支持部材（２），（３）に形成された上側に位置する変位用長孔（３３）と、下側に位置する支持用孔（３４）とから構成されていることを特徴とする請求項２に記載の頚椎装具。
【請求項４】
前記一対の顎支持部材（２），（３）に対し、二つの前記カム作用機構（６），（６）と一つの前記操作部材（５）が、前記支持本体（１）の中央部近傍に設けられ、前記操作部材（５）は一つの回転体（５Ａ）を備え、前記各カム作用機構（６）は、前記支持本体（１）と前記回転体（５Ａ）とに形成されたカム溝（６Ｂ），（６Ｂ）と、該カム溝（６Ｂ），（６Ｂ）に夫々係合する一対のカム突起体（６Ｃ），（６Ｃ）から成り、該カム突起体（６Ｃ），（６Ｃ）の一端部が、前記従動部材（７），（７）に夫々枢着され、その他端部が前記回転体（５Ａ）に夫々枢着され、前記カム突起体（６Ｃ）が前記カム溝（６Ｂ）に沿って移動されることで前記従動部材（７）を略直線移動させるように構成されていることを特徴とする請求項１に記載の頚椎装具。
【請求項５】
前記作動変換機構（８）は、一対の揺動アーム（１７），（１７）を有し、該各揺動アーム（１７），（１７）は、その一端部（１７ａ）が枢支ピン（１８）を備えていて前記従動部材（７）に枢支、連結され、且つ、前記支持本体（１）に形成されたアーム用ガイド孔（１９）に係合され、その他端部（１７ｂ）が、係止ピン（２０）を備えていて該係止ピン（２０）が前記顎支持部材（２，３）に形成されたアーム用孔（２１）に摺動自在に係止され、前記揺動アーム（１７）の揺動、変位によって前記顎支持部材（２，３）が回動、変位されるように構成されていることを特徴とする請求項１又は請求項４に記載の頚椎装具。
【発明の詳細な説明】
【技術分野】
【０００１】  本発明は、頚椎装具に関し、詳しくは、顎の支持の高さ調節を可能にした頚椎装具に関する。
【背景技術】
【０００２】  頚椎装具は、任意の脊椎配列に矯正するために開発されてきたもので、個々の患者の体型スペック（顎の位置等）に合わせた固有のサイズの装具或いは微調整可能な構成のものが必要とされている。
従って、個々の患者に合わせた装具を準備するとなると、非常なコスト高となり、最近においては、顎の支持位置を調節できるような機能を備えた頚椎装具の開発が主流となっている。【０００３】  こうした顎の高さ調節が可能な頚椎装具の従来技術としては、例えば、次の文献を挙げることができる。
【特許文献１】特開平７−２５０８５４
【特許文献２】特開２０００−１４６８６
【特許文献３】特表２００９−５０２３２６
【発明の開示】
【発明が解決しようとする課題】
【０００４】  上記特許文献１においては、ターンバックル型調整支持杆を備えて顎受部を傾動させ、高さを調節できるように構成されている。また、特許文献２についても、下顎受体の高さ調節を可能にしたものである。更に、特許文献３については、単一の動作で左右の顎支持部材の高さを調節できるようにするもので、その為に、ラックピニオン式調整機構を備え、ピニオンを回動し、ラックでもって顎支持部材を移動させて顎の支持高さを調整出来るように構成されている。【０００５】  しかし、こうした従来技術、例えば、特許文献１にあっては、ターンバックル型調整手段を用いるが故に、縦軸周りに棒状のバックルを回転操作しなければならず、操作が行い難いというだけでなく、１回転させてもネジの１ピッチ分しか長さ変位できず、頚椎高さ調節のために必要な数センチを変位させるには、多数回転の操作を要するのであり、非常に使い勝手が悪い。【０００６】  また、特許文献３のように、ラックとピ二オンを用いる場合、一つの回転操作具で操作できる点は好ましいが、長尺物（直線又は湾曲もの）にラックを刻設しなければならず、製作上もコストがかかると共に基本的にギアの噛み合いであるので、固定可能な位置としては１ピッチ毎の変位となり、１ピッチ以下の中間位置では定置させられず、無段階変位の操作を行い難く、無段階変位を得るようにギアピッチを小さくすれば、工作が難しくなり、コストアップにつながる。【０００７】  本発明は、かかる問題点に鑑み、簡単な構造のカム作用機構と作動変換機構を設けることで、頚椎装具における顎支持部材の高さ調節を、簡単な回転操作でもって無段階調整できるようにすることを目的とする。
【課題を解決するための手段】
【０００８】  本発明にかかる頚椎装具は、上記目的を達成するために、正面視略Ｙ字形の支持本体（１）と、該支持本体（１）のＹ字の左右端部近傍に、その一端部が夫々枢着された一対の顎支持部材（２），（３）とからなる頚椎装具であって、
操作部材（５）の回動操作によってカム作用機構（６）を介して従動部材（７）を押し引き駆動し、該従動部材（７）の押し引き動作により、作動方向変換機構（８）を用いて前記顎支持部材（２），（３）を回動変位させることによって該顎支持部材（２），（３）の高さ調節を行うように構成する、という手段を講じたものである。【０００９】  本発明に言う頚椎装具とは、人体の頚部に装備し、顎を適正高さに支持して脊椎を正しい姿勢（配列状態）に矯正し、維持させるためのものであって、原因となる頚椎のトラブルの種類自体は問題としない。
【発明の効果】
【００１０】  本発明にかかる頚椎装具によれば、簡単な構造のカム作用機構と作動変換機構を用いることで、頚椎装具における顎支持部材の高さ調節を、簡単な回転操作でもって無段階調整でき、安価に製造出来ながら優れた高さ調整機能を発揮できる効果を奏する。
本発明にかかるその他の効果は、以下の実施例の説明から明らかとなろう。
【発明を実施するための形態】
【００１１】  本発明においては、前記一対の顎支持部材（２），（３）に対応して前記カム作用機構（６）と前記操作部材（５）が、前記支持本体（１）の左右端部近傍に夫々設けられ、前記操作部材（５）は回転体（５Ａ）を備え、前記カム作用機構（６）は、前記回転体（５Ａ）に形成されたカム溝（６Ｂ）と、該カム溝（６Ｂ）に係合するカム突起体（６Ｃ）から成り、該カム突起体（６Ｃ）が前記従動部材（７）に一体的に設けられ、前記カム突起体（６Ｃ）が前記カム溝（６Ｂ）に沿って移動されることで前記従動部材（７）を略直線移動させるように構成されているのが好ましい。
【００１２】  このように構成することによって、一対の左右の顎支持部材（２），（３）を、個々の操作部材（５）を個別に高さ調節することで、顔形（左右の顎形等）に応じた微妙な高さでもって調整することもできて、頚椎姿勢の矯正をより一層正確に行い易い利点がある。
【００１３】  また、前記作動変換機構（８）が、前記回転体（５Ａ）の軸支ピン（１５）を備えた保持カバー体（１６）と、前記従動部材（７）に形成され、前記回転体（５Ａ）の軸支ピン（１５）に係合する長孔（１４）と、その一端部（９ａ）が前記従動部材（７）に設けられた係止ピン（９）と、その他端部（９ｂ）が貫通係合する前記支持本体（１）に設けられた係止ピン用長孔（１０）と、その他端部（９ｂ）が貫通係合する前記顎支持部材（２），（３）に設けられたガイド長孔（３０）と、前記保持カバー体（１６）の後端部に、上下の方向に配置され設けられた一対の係止ピン（１１），（１３）と、該係止ピン（１１），（１３）が貫通し係合するように前記支持本体（１）の後端部に上下の方向に配置され設けられた上側に位置する支持孔（３１）と、下側に位置する支持長孔（３２）と、該係止ピン（１１），（１３）が貫通し係合するように前記顎支持部材（２），（３）に形成された上側に位置する変位用長孔（３３）と、下側に位置する支持用孔（３４）とから構成されていることが好ましい。
【００１４】  このように、操作部材（５）の操作によって前記顎支持部材（２），（３）を稼動させるに、従動部材（７）と、長孔、ピンという簡単な構造の組み合わせでもって行い得るので、格別の駆動手段等（電動）を用いることなく安価に実施可能であり、その分、作動におけるトラブルも少なくて済む。
そして、二つの係止ピン（１１），（１３）が、支持長孔（３２）及び  変位用長孔（３３）によって支持され、回動変位されることになるので、前記顎支持部材（２），（３）は、それらの二軸でもって変則的に回動させることで、一軸による枢支回動とは異なる並行変位を含む姿勢変化を得ることができて、顎の高さ調節として微妙な調整が可能である。
【００１５】  また、前記一対の顎支持部材（２），（３）に対し、二つの前記カム作用機構（６），（６）と一つの前記操作部材（５）が、前記支持本体（１）の中央部近傍に設けられ、前記操作部材（５）は一つの回転体（５Ａ）を備え、前記各カム作用機構（６）は、前記支持本体（１）と前記回転体（５Ａ）とに形成されたカム溝（６Ｂ），（６Ｂ）と、該カム溝（６Ｂ），（６Ｂ）に夫々係合する一対のカム突起体（６Ｃ），（６Ｃ）から成り、該カム突起体（６Ｃ），（６Ｃ）の一端部が、前記従動部材（７），（７）に夫々枢着され、その他端部が前記回転体（５Ａ）に夫々枢着され、前記カム突起体（６Ｃ）が前記カム溝（６Ｂ）に沿って移動されることで前記従動部材（７）を略直線移動させるように構成されていることが好ましい。
【００１６】  このように構成したことで、一つの操作部材（５）を回転操作すれば、左右の顎支持部材（２），（３）の高さを同時に調節することができ、高さ調節の操作が非常に簡単に行い得る。
そして、構造としても二つのカム溝（６Ｂ）とカム突起体（６Ｃ）による二つの従動部材（７）の駆動という簡単な構成で実施できるので、コスト低減も図れる。
【００１７】  更に、前記作動変換機構（８）は、一対の揺動アーム（１７）を有し、該揺動アーム（１７）は、その一端部（１７ａ）が枢支ピン（１８）を備えていて前記従動部材（７）に枢支、連結され、且つ、前記支持本体（１）に形成されたアーム用ガイド孔（１９）に係合され、その他端部（１７ｂ）が、係止ピン（２０）を備えていて該係止ピン（２０）が前記顎支持部材（２，３）に形成されたアーム用孔（２１）に摺動自在に係止され、前記揺動アーム（１７）の揺動、変位によって前記顎支持部材（２，３）が回動、変位されるように構成されている。
【００１８】  このように、アーム、ピン、係合用のガイド孔等の簡単な構造、部品の組み合わせによって、一つの操作部材（５）の回転操作を行うことだけで、前記顎支持部材（２，３）の高さ調節を行い得るのである。
【実施例】
【００１９】  本発明にかかる頚椎装具の好適実施例について、図面を参照して以下詳述する。
実施例１
図１は使用状態を示す頚椎装具の全体の斜視図であり、図２は、その正面図、図３は、その側面図である。図１乃至図３に示すように、支持本体１が正面視略Ｙ字形として、合成樹脂で成型されている。他の構成部材についても、基本的にはこうした樹脂成型により構成されている。この実施例では、主要構成が左右対称に同じ構成で設けられているため、その分解図として、一側方の主要構成を、図４が外側から、図５が内側から見えるように描かれている。また、図示便宜上、ピン位置、部材位置の前後関係を変えているところがある。【００２０】  この支持本体１は、複数部分のパーツで成型されたものを接合して略Ｙ字状に構成されているが、一体成型でＹ字状としてもよい。この支持本体１のＹ字の左右端部近傍、即ち、装着時に頚部の両側部に位置する部位に、その一端部が夫々枢着された一対の顎支持部材２，３が設けられている。そして、こられの顎支持部材２，３を繋ぐように、顎乗せ部材４０がネジ４０Ａ，４０Ｂ（図５参照）によってネジ止めされている。これらの顎支持部材２，３は、合成樹脂の板状体で形成されているが、顎支持を良好にするために、仮想線で示すように、パッド２Ａ，  ３Ａが装着されている。こうしたパッド２Ａ，３Ａは、ここではウレタンフォ−ムで構成されているが、織布、不織布、ゴムなどを用いて構成してもよい。【００２１】  そして、図４から図７に示すように、操作部材５の回動操作によってカム作用機構６を介して従動部材７を押し引き駆動し、該従動部材７の押し引き動作により、作動方向変換機構８を用いて前記顎支持部材２（又は３）を回動変位させることによって該顎支持部材２（又は３）の高さ調節を行うように構成されている。この作用の詳細については後述する。【００２２】  この実施例では、前記一対の顎支持部材２，３に対応して前記カム作用機構６と前記操作部材５が、前記支持本体１の左右端部近傍に夫々設けられている。
前記各操作部材５は、一つの回転体５Ａを備え、前記各カム作用機構６は、前記回転体５Ａに形成せれたカム溝６Ｂと、該カム溝６Ｂに係合するカム突起体６Ｃから成り、該カム突起体６Ｃが前記従動部材７に一体的に設けられている。前記回転体５Ａは、略円板状で、その両側面（頚部側と反対面）に前記カム溝６Ｂが刻設（両面刻設は部材の左右兼用にするという成型上の理由）されており、このカム溝６Ｂは、図４から図７に示すように、その回転軸芯を中心とした正面視で略渦巻き状に形成されている。【００２３】  又、前記作動変換機構８は、前記回転体５Ａの軸支ピン１５（ネジ部とこれを止めるボス部とからなり、ボス部が軸支えの役割を果たすが、このピンは単なる独立したピンでもよく、その回転体と一体成型でも、別体成型でもよい）を備えた保持カバー体１６と、前記従動部材７に形成され、前記回転体５Ａの軸支ピン１５に係合する長孔１４と、その一端部９ａが前記従動部材７に設けられた係止ピン９（ここでは、そのピンは一体成型されたもので、ネジ部とこれを止めるボス部とからなり、そのボス部がピンの機能を果たしているが、別体成型でボス部を形成しないものでもよい。以下、本発明の枢支機能を果たすピンは、同じ考えのものである。）と、その他端部９ｂが貫通係合する前記支持本体１に設けられた係止ピン用長孔１０と、その他端部９ｂが貫通係合する前記顎支持部材２（又は３）に設けられたガイド長孔３０と、前記保持カバー体１６の後端部に上下の方向に配置され固定された一対の係止ピン１１，１３（上記補足説明を参照）と、該係止ピン１１，１３が貫通し係合するように前記支持本体１の後端部に上下の方向に配置され設けられた上側に位置する支持孔３１と、下側に位置する支持長孔３２と、該係止ピン１１，１３が貫通し係合するように前記顎支持部材２（又は３）に形成された上側に位置する変位用長孔３３と、下側に位置する支持用孔３４とから構成されている。【００２４】  これらの係止ピン１１，１３は、前記顎支持部材２（又は３）を二軸変位（一軸の枢着回動ではない変則変位）で高さ変更させるものであるが、前記顎支持部材２（又は３）が抜け落ちないように係止用頭部を備えたネジで構成されている。更に、前記支持本体１の左右端部側には、前記従動部材７の前記係止ピン９が貫通する係止ピン用長孔１０以外に、前記軸支ピン１５が貫通するガイド用長孔１２が形成されており、結果として、この支持本体１の左右端部側は、前記従動部材７と前記顎支持部材２（又は３）とでネジ止めで挟持された状態となっている。また、前記顎支持部材２（又は３）には、前記ガイド長孔３０の横側方に、前記軸支ピン１５が貫通するガイド長孔４１が形成されている。【００２５】  前記従動部材７は平板状のもので、前記長孔１４がその長手方向に向くように開口されている。前記係止ピン９は、その前記従動部材７の長孔１４とは反対側端に、内側に向けて（頚部側に向け）突出するように設けられている。この係止ピン９は、前記ガイド長孔３０と係止ピン用長孔１０とに対する摺動をスムースにするために、そのボス部は、円柱状体９Ａに一体形成され、表面が平滑にされている。【００２６】  また、前記カム溝６Ｂを有する回転体５Ａは���ここでは、円周に波形の摘み部５Ｂを備え、中心部に前記軸支ピン１５が挿通するための貫通孔５Ｃを有する構造のものであるが、操作部材５として、左右に位置する回転体５Ａに同時に係合する操作部材、例えば、後頭部側に伸びる平面視Ｙ字状のアームの両端に、前記摘み部５Ｂを把持する把持部を備え、アームの操作で一度に両回転体５Ａを操作する構成としてもよい。【００２７】  前記保持カバー体１６は、前記軸支ピン１５と係止ピン１１，１３とを固定しているだけでなく、同時に、前記回転体５Ａ、前記従動部材７等を被覆するカバーとしての機能も有する。また、この保持カバー１６には、前記係止ピン９の一端部９ａの端部が係合するガイド長孔１６Ａが備えられている。【００２８】  作用の説明
この頚椎装具を頚部に装着し、その顎支持部材２，３の高さ調節を行うときの作用について述べる。
便宜上、一側方の顎支持部材２について言及し、且つ、その下限位置から上限位置への調節として説明する。図６は、その顎支持部材２が、下限位置にある状態を示す。この状態から前記顎支持部材２を上昇させて高さを調節すると、図７の上限位置に移行する。【００２９】  先ず、操作部材５である回転体５Ａを矢印の方向（右回転）に回転させると、ここに設けられたカム溝６Ｂが回転することとなり、これに係合しているカム突起体６Ｃが追従することになり、このカム突起体６Ｃが設けられた従動部材７は、その一方端側に設けた長孔１４が軸支ピン１５にガイドされ、他方端に設けられた係止ピン９が支持本体１に形成された係止ピン用長孔１０に規制されながら水平方向（図示左方向）揺動変位する。この際、前記係止ピン９の他端部９ｂが前記顎支持部材２に設けた前記ガイド長孔３０にも係合していることで、前記従動部材７の揺動変位が、この顎支持部材２を回動変位させることになる。この際、前記従動部材７の軸支ピン１５（即ち、回転体５Ａ）は、前記支持本体１の係止ピン用長孔１０を相対移動することになる。【００３０】  そして、この際、前記顎支持部材２が、その後端部側で前記係止ピン１１，１３により係止されていることで、即ち、その上側の係止ピン１１が、前記支持本体１の後端部の上側に位置する支持孔３１と、前記顎支持部材２の上側に形成された変位用長孔３３とに貫通、係合されており、下側の係止ピン１３が、前記支持本体１の下側に位置する支持長孔３２に貫通、係合し、且つ、前記顎支持部材２の下側の支持用孔３４に係合していることにより、この顎支持部材２は、前記係止ピン１１，１３の二軸によって、回動変位と水平変位がされて、顎に対する高さが調節されることになる。【００３１】  上記回転体５Ａを逆の方向に回転させると、同様に、従動部材７がカム作用によって揺動変位し、前記顎支持部材２が下動変位して、顎に対する高さが低く調節されるのである。この作用は、他方の顎支持部材３についても同様であり、従って、その説明を省略する。【００３２】  実施例２
次に、本発明の実施例２について、図８乃至図１４を参照して以下説明する。
ここでは、実施例１と同じ機能を持つ部材は、基本的には同じ部材番号を付して説明している。尚、図８及び図９の完成状態図では支持本体１が内向き湾曲状態として描かれているが、図１０乃至図１３に示す支持本体１は、図解説明上、外向き（逆向きの）湾曲状態に描かれている。また、図示便宜上、ピン位置、部材位置の前後関係を変えているところがある。
先ず、この実施例２の頚椎装具が、正面視略Ｙ字形の支持本体１と、該支持本体１のＹ字の左右端部近傍に、その一端部が、枢支軸３８，３８で回動自在に夫々枢着された一対の顎支持部材２，３とからなる頚椎装具である点は実施例１と同じであり、更に、操作部材５の回動操作によってカム作用機構６を介して従動部材７を押し引き駆動し、該従動部材７の押し引き動作により、作動方向変換機構８を用いて前記顎支持部材２，３を回動変位させることによって該顎支持部材２，３の高さ調節を行うように構成した点についても同じである。
更に、これらの顎支持部材２，３は、合成樹脂の板状体で形成されているが、顎支持を良好にするために、実施例１と同様に、仮想線で示すように、パッド２Ａ，３Ａが装着されている。【００３３】  この実施例では、前記一対の顎支持部材２，３に対し、二つの前記カム作用機構６，６と一つの前記操作部材５が、前記支持本体１の中央部近傍に設けられ、前記操作部材５は一つの回転体５Ａと、これを覆う回転カバー体５Ｄ（前記支持本体１に係合突起５ｆでもって嵌合方式で固定されている）、回転係合部材５Ｅ、係合解除ボルト５Ｆ及び係合解除部材５Ｇを備えている。
この操作部材５のカバー体５Ｄの内側面には、一方のカム溝６Ｂ（一部開口の略円形溝で、その開口端部分から直線に伸びる溝部分がある）が形成されており、その他の具体構造については、後に図１４に基づいて詳述する。【００３４】  前記各カム作用機構６は、前記支持本体１に形成された他方のカム溝６Ｂ（一部開口の略円形溝で、その開口端部分から直線に伸びる溝部分がある）と、前記カバー体５Ｄの内側面のカム溝６Ｂと、これらに夫々係合するくの字形に形成された一対のカム突起体６Ｃ，６Ｃとから成り、該カム突起体６Ｃ，６Ｃの一端部が、前記従動部材７，７の一端側に夫々枢着され、その他端部が前記回転体５Ａの両面の支軸６Ｄ，６Ｄに夫々枢着され、前記カム突起体６Ｃが前記カム溝６Ｂに沿って移動されることで、カム作用と、後述する前記従動部材７の他端側で規制されることになる動きによって、該従動部材７を略直線移動させるように構成されている。【００３５】  前記回転体５Ａは、円板状体で、前記支持本体１に回転自在に保持されており、その中心部には、操作部材５の摘み部材となる前記カバー体５Ｄが嵌合されるボス部５Ｈが前方側に向けて突出形成されており、且つ、その表裏面に位相角（ここでは、約１２０度）を持って前記支軸６Ｄ，６Ｄが反対向きに突設されていて、これらに前記カム突起体６Ｃ，６Ｃの一端部が枢着されており、これらのカム突起体６Ｃ，６Ｃの他端部には、前記カム溝６Ｂに係合する突起３５，３６が突設されている。ここでは、前記従動部材７，７に対する前記カム突起体６Ｃ，６Ｃの枢着軸芯と、前記突起３５，３６とが同芯に構成されている。また、前記カム突起体６Ｃ，６Ｃは、全体として円弧状（くの字状）を呈するように構成されている。尚、前記カム突起体６Ｃ、６Ｃの枢着軸芯と前記突起３５，３６とは同芯でなくともよい。【００３６】  そして、前記作動変換機構８（一方のものについて説明）は、この実施例では、一対の揺動アーム１７，１７を有し、該揺動アーム１７は、その一端部１７ａが枢支ピン１８（ボス部とネジとから構成されており、その意味で両者に同じ番号を引用しているが、同様に、第１実施例の上記補足説明を参照）を備えていて前記従動部材７に枢支、連結され、且つ、前記支持本体１に形成されたアーム用ガイド孔１９に係合され、その他端部１７ｂが、係止ピン２０（ボス部とネジとから構成されており、その意味で両者に同じ番号を引用しているが、同様に、上記補足説明を参照）を備えていて、該係止ピン２０が前記顎支持部材３（又は２）に形成されたアーム用孔２１（略水平向き）に摺動自在に係止され、前記揺動アーム１７の揺動、変位によって前記顎支持部材２が回動、変位されるように構成されている。尚、４２は、前記支持本体１に設けられたガイドピンであり、前記顎支持部材３（又は２）に形成された縦向きガイド孔４３に係合されており、この顎支持部材３（又は２）の回動変位を単にガイドする役目を果たす。又、前記揺動アーム１７は、ここでは、長手の平板状体で構成されている。【００３７】  更に、前記作動変換機構８として、前記顎支持部材３（又は２）  に設けられた円弧状の前記ガイド孔４３が設けられ、ここには前記支持本体１に設けられたガイドピン４��が係合している。【００３８】  次に、図１４に示す前記操作部材５について詳述すると、既述のように、これは一つの回転体５Ａと、これを覆うカバー体５Ｄ（前記支持本体１に前記係合突起５ｆで嵌合固定される）、回転係合部材５Ｅ、係合解除ボルト５Ｆ及び係合解除部材５Ｇを備え、そのカバー体５Ｄの内側面には、一方のカム溝６Ｂが形成されているが、更に、前記回転係合部材５Ｅは、リング状に構成され、内側面には、複数の係合突部５ａが円周方向に所定の間隔を隔てて突出され、同様に前記カバー体５Ｄの外側面の円周方向に突出されたカバー側係合突部５ｂに噛み合い可能に構成されている。【００３９】  そして、前記係合解除部材５Ｇは、前記係合解除ボルト５Ｆに外嵌されており、全体として前記カバー体５Ｄ、回転係合部材５Ｅに挿通されており、その係合解除部材５Ｇには、押圧斜面５ｄが外側に向けて形成され、前記回転係合部材５Ｅの内側から突出されている可撓性のある押し出し舌片５ｅに接当するように構成されており、この押し上げ舌片５ｅが前記係合解除部材５Ｇと前記係合解除ボルト５Ｆとを常時前側（図示で上向き）に弾性的に押し出しており、その結果、前記複数の係合突部５ａと前記カバー体５Ｄのカバー側係合突部５ｂとの噛み合いが維持され、結果として支持本体１に固定されるように構成されているのである。この噛み合いは、前記係合解除ボルト５Ｆを後方側（図示で下方向）に押圧しつつ、前記回転係合部材５Ｅを前方側（図示で上向き）に引くことで解除され、これにより前記カバー体５Ｄと回転体５Ａの回動が可能となって、高さ調節が行い得るのである。【００４０】  作用の説明
実施例２についても、この頚椎装具を頚部に装着し、その顎支持部材２，３の高さ調節を行うときの作用について、図１５及び図１６を参照して述べる。
同様に、便宜上、一側方の顎支持部材３について言及し、且つ、その下限位置から上限位置への調節として説明する。図１５は、その顎支持部材３が、下限位置にある状態を示す。この状態から前記顎支持部材３を上昇させて高さを調節すると、図１６に示す上限位置に移行する。【００４１】  先ず、操作部材５である回転体５Ａを矢印の方向に回転させると（ここでは、回転体５Ａのロック及びロック解除の作用説明は上記構造説明を引用して省略する）、ここに設けられたカム溝６Ｂに係合しているカム突起体６Ｃの突起３５が、追従移動することになり、このカム突起体６Ｃが枢着された従動部材７が揺動されることになるが、これの一端側に設けられた枢支ピン１８が、支持本体１に形成されたアーム用ガイド孔１９にガイドされ、その揺動方向が規制される。【００４２】  その結果、従動部材７の他端側の係止ピン２０が、前記顎支持部材３のアーム用孔２１に沿ってスライドし、この顎支持部材３を、前記支持本体１に対する枢支軸３８の周りに回動、変位させることになり、顎の支持高さ調節を行い得るのである。【００４３】  上記回転体５Ａを逆の方向に回転させると、同様に、従動部材７がカム作用によって揺動変位し、前記顎支持部材３が下動変位して、顎に対する高さが低く調節されるのである。この作用は、他方の顎支持部材２についても同様であり、従って、その説明を省略する。
【産業上の利用分野】
【００４４】  本発明にかかる頚椎装具は、頚椎姿勢の矯正、保持の装具として操作面、コスト面でも優れたもので、その適用範囲は広いものである。
【図面の簡単な説明】
【００４５】
【図１】本発明にかかる頚椎装具の実施例１の全体斜視図。
【図２】本発明にかかる頚椎装具の実施例１の正面図。
【図３】本発明にかかる頚椎装具の実施例１の側面図。
【図４】本発明にかかる頚椎装具の実施例１の前面側分解斜視図。
【図５】本発明にかかる頚椎装具の実施例１の背面側分解斜視図。
【図６】本発明にかかる頚椎装具の実施例１の一作用状態を示す要部の拡大側面図。
【図７】本発明にかかる頚椎装具の実施例１の一作用状態を示す要部の拡大側面図。
【図８】本発明にかかる頚椎装具の実施例２の前方からの全体斜視図。
【図９】本発明にかかる頚椎装具の実施例２の後方からの全体斜視図。
【図１０】本発明にかかる頚椎装具の実施例２の前面カバーを外した前方からの全体斜視図。
【図１１】本発明にかかる頚椎装具の実施例２の背面カバーを外した後方からの全体斜視図。
【図１２】本発明にかかる頚椎装具の実施例２の前面側分解斜視図。
【図１３】本発明にかかる頚椎装具の実施例２の背面側分解斜視図。
【図１４】本発明にかかる頚椎装具の実施例２の要部の横断面図。
【図１５】本発明にかかる頚椎装具の実施例２の一作用状態を示す要部の一部切り欠き正面図。
【図１６】本発明にかかる頚椎装具の実施例２の一作用状態を示す要部の一部切り欠き正面面図。
【符号の説明】
【００４６】  １：支持本体
２：顎支持部材（一方）
３：顎支持部材（他方）
５：操作部材
６：カム作用機構
８：作動方向変換機構
【図１】
2012020101.tif 000003
【図２】
2012020101.tif 000004
【図３】
2012020101.tif 000005
【図４】
2012020101.tif 000006
【図５】
2012020101.tif 000007
【図６】
2012020101.tif 000008
【図７】
2012020101.tif 000009
【図８】
2012020101.tif 000010
【図９】
2012020101.tif 000011
【図１０】
2012020101.tif 000012
【図１１】
2012020101.tif 000013
【図１２】
2012020101.tif 000014
【図１３】
2012020101.tif 000015
【図１４】
2012020101.tif 000016
【図１５】
2012020101.tif 000017
【図１６】
2012020101.tif 000018